(57)【特許請求の範囲】
【請求項１】
前後方向に細長い収容室が形成され、該収容室の前端に鎌出没用孔を有するフロントが設けられ、上記収容室に交叉するカム挿入孔を有し、引き戸の先端面の錠収容孔に内設されるケースと、上記カム挿入孔に回動可能に挿入され、施錠角度に回動操作されたときに上記フロント方向に移動する駆動アーム及びフロント反対方向に移動する軸支持アームを有するカムと、該軸支持アームに設けたピンに摺接し、該カムを施錠角度及び解錠角度に付勢するカムスプリングと、後端を上記駆動アームに枢着され先端に押動片を有するジョイントプレートと、上記押動片が進退可能に遊嵌する案内長孔を有する一対のプレートを間隔を挟んで一体的に連結し、上記押動片に接触するジョイントスプリングを設け、上記収容室内を所定量だけ前進可能に設けられた摺動プレートと、上記押動片が係入する係合孔を有し、カム溝が設けられる一対のレトラクタと、上記摺動プレートに支承される支軸に中間部を枢着され、先端には相互に反対方向に突出する施錠爪を有し、後端部に設けられたロックピンが上記カム溝に係入する一対の鎌とによって構成され、
上記カム溝は、上記両鎌をストライクの受け孔内に挿入案内する解錠溝部と、該解錠溝部に連接し、上記カムの施錠角度において上記両鎌をそれぞれ上記施錠爪の突出方向に回動案内する施錠溝部とを備えていることを特徴とする戸先錠。
【請求項２】
上記ケースの収容室の先端に、突出方向に回動した状態の上記施錠爪を収容する施錠爪収容凹部を形成し、該施錠爪収容凹部に上記施錠爪が収容されたとき上記カムスプリングによって上記カムが解錠角度に回動し上記レトラクタが移動して上記ロックピンが上記施錠溝部から上記解錠溝部へ移動することを特徴とする請求項１記載の戸先錠。
【請求項３】
上記カムを回動操作する操作軸に、施錠角度と解錠角度とを色分け表示するカラープレートを固着し、上記引き戸の外側エスカッションに、上記カムの施錠及び解錠角度において上記カラープレートの施錠及び解錠の色分け表示領域を透視する点検窓を設けたことを特徴とする請求項１又は２記載の戸先錠。
【発明の詳細な説明】
【０００１】
【発明の属する技術分野】
本発明は、引き戸の先端に設けられ、引き戸を施錠，解錠する戸先錠に関するものである。
【０００２】
【従来の技術】
引き戸の施錠装置には、閉められた２枚立ての引き戸の召合わせ部分の相互をロックする召合わせ錠と、閉められた引き戸の先端を框側の柱にロックする戸先錠があり、何れの施錠装置も、鎌錠と呼ばれる形式の施錠装置が一般に使用されている。
鎌錠形式の戸先錠の要点を説明すると、図８及び図９に示すように、ケース１の前端に、ケース１の前壁であるセカンドフロント２がケース１に上下方向に延びている。
【０００３】
引き戸Ｄの先端面に設けた錠収容孔にケース１を挿入し、セカンドフロント２の表面にフロント３を重ね、フロント３及びセカンドフロント２を貫通するねじ（図示しない）を引き戸Ｄの先端面に螺合してケース１を固定する。
フロント３及びセカンドフロント２に鎌出没用孔４が設けられ、ケース１の内壁に固着される支軸５には、鎌６の頭部６ａが枢着される（図９参照）。
【０００４】
鎌６は、頭部６ａから屈曲して延設される腕部６ｂの先端に係合爪６ｃが設けられ、全体の形状がほぼコの字形状に形成され、頭部６ａには屈曲した案内用長孔７が設けられる。
ケース１に枢着された回動板８に、案内用長孔７に遊嵌する駆動ピン９が設けられ、ケース１の側壁内面に設けられた支持片１０に、鎌６を実線で示す解錠角度と鎖線で示す施錠角度に付勢するスプリング１１が取り付けられる（図９参照）。
図８，図９に示す符号１７は、引き戸Ｄの室外側及び室内側の表面に設けられるエスカッションである。
【０００５】
框側の柱に設けられたストライク１２は、中央部が凹状に形成されたストライクボックス１３の表面に、ストライクボックス１３の前面を被覆するストライク板１４がねじ１５により固定される。
ストライク板１４には、施錠角度に回動する鎌６の係合爪６ｃを受け入れる受け孔１６が設けられ、鎌６が鎖線で示す施錠角度まで回動すると、係合爪６ｃが鎖線で示すようにストライク板１４の裏面に係合するので、引き戸Ｄが施錠される。
【０００６】
【発明が解決しようとする課題】
上記のような鎌錠形式の戸先錠には、下記のような課題があった。
(1) ケース１内には、鎌６が施錠及び解錠角度に回動するための収容空間が必要であり、鎌６の上方及び下方にスプリング１１，回動板８などが設けられるので、ケース１の形状は、上下方向に寸法の大きな矩形にするか、或いは、直径の大きな丸形にしなければならない。
ストライク１２も、回動する係合爪６ｃとの干渉を避けるための空間が必要であり、上下方向に長いものになる。
【０００７】
ケース１を上下に長い矩形とした場合、引き戸がアルミサッシ製で、先端部が筒状材であれば、引き戸の先端面に矩形状の錠収容孔を加工することはできるが、木製の場合には矩形状の錠収容孔を彫り込むことは手間のかかる大変な作業になる問題がある。
ケース１を円形にした場合には、直径の大きな錠収容孔を加工しなければならない不具合がある。
【０００８】
(2) 又、鎌６が鎖線で示す施錠位置に回動するときに、ストライク板１４との干渉を避けるために隙間ｃが必要であり、戸先錠を施錠した後も引き戸Ｄには少なくとも隙間ｃに相当するがたつきを生じる。
本発明はかかる課題を解決することを目的とし、引き戸の錠収容孔を直径の小さな円形孔にすることができ、施錠後の扉のがたつきが小さく、誤操作を行っても鎌を損傷しない戸先錠を提供するものである。
【０００９】
【課題を解決するための手段】
上記目的を達成するために、本発明の戸先錠は、
前後方向に細長い収容室が形成され、該収容室の前端に鎌出没用孔を有するフロントが設けられ、上記収容室に交叉するカム挿入孔を有し、引き戸の先端面の錠収容孔に内設されるケースと、上記カム挿入孔に回動可能に挿入され、施錠角度に回動操作されたときに上記フロント方向に移動する駆動アーム及びフロント反対方向に移動する軸支持アームを有するカムと、該軸支持アームに設けたピンに摺接し、該カムを施錠角度及び解錠角度に付勢するカムスプリングと、後端を上記駆動アームに枢着され先端に押動片を有するジョイントプレートと、上記押動片が進退可能に遊嵌する案内長孔を有する一対のプレートを間隔を挟んで一体的に連結し、上記押動片に接触するジョイントスプリングを設け、上記収容室内を所定量だけ前進可能に設けられた摺動プレートと、上記押動片が係入する係合孔を有し、カム溝が設けられる一対のレトラクタと、上記摺動プレートに支承される支軸に中間部を枢着され、先端には相互に反対方向に突出する施錠爪を有し、後端部に設けられたロックピンが上記カム溝に係入する一対の鎌とによって構成され、
上記カム溝は、上記両鎌をストライクの受け孔内に挿入案内する解錠溝部と、該解錠溝部に連接し、上記カムの施錠角度において上記両鎌をそれぞれ上記施錠爪の突出方向に回動案内する施錠溝部とを備えていることを特徴とするものである。
【００１０】
上記ケースの収容室の先端に、突出方向に回動した状態の上記施錠爪を収容する施錠爪収容凹部を形成し、該施錠爪収容凹部に上記施錠爪が収容されたとき上記カムスプリングによって上記カムが解錠角度に回動し上記レトラクタが移動して上記ロックピンが上記施錠溝部から上記解錠溝部へ移動するように構成することができる。
上記カムを回動操作する操作軸に、施錠角度と解錠角度とを色分け表示するカラープレートを固着し、上記引き戸の外側エスカッションに、上記カムの施錠及び解錠角度において上記カラープレートの施錠及び解錠の色分け表示領域を透視する点検窓を設けることができる。
【００１１】
【発明の実施の形態】
本発明の実施の形態について図面を参照して説明すると、図１は戸先錠の分解斜視図、図２は解錠状態の戸先錠の縦断面図、図３は図２の正面図、図４は図２のＸ−Ｘ断面図である。
戸先錠のケース２０は、ケース本体２１と、ケース本体２１に形成された接合面２２に重合されるカバー２３により構成され、カバー２３が重合したときにケース２０の内部にはケース２０の前面に開口するほぼ矩形断面の収容室２４が形成される。
【００１２】
ケース本体２１の先端部にフランジ２５が設けられ、フランジ２５の上部及び下部に取り付け用孔２６が設けられ、フランジ２５の後方（図１において右側）のケース本体２１は、外周面が円形の円形領域２１ａの後方に、円形部分よりも幅の狭くなった小判形状領域２１ｂが接続し、円形領域２１ａの中間部から後方に、カバー２３を重合するための接合面２２が形成され、接合面２２の前端部には、カバー２３に設けられた２条の係合溝（図示しない）に嵌合する嵌合突起２７が突設される（図１参照）。
【００１３】
カバー２３の接合面に、嵌合突起２７と係合する嵌合凹部（図示しない）が設けられ、カバー２３の外周面の形状は、ケース本体２１と同様に、円形領域２３ａと小判形状領域２３ｂが設けられ、小判形状領域２３ｂに２つの挿入用孔２８，２８が設けられ、ケース本体２１の接合面に突設された２つの円柱状のボス３０をそれぞれ挿入用孔２８，２８に挿入して加締めることにより、カバー２３がケース本体２１と一体的に結合される（図１参照）。
【００１４】
フランジ２５の前面に取り付けられるフロント３１には、収容室２４に連通する鎌出没用孔３２と、取り付け用孔２６と相対する取り付け用孔３３が設けられる。
鎌出没用孔３２は、後述する一対の鎌６８の施錠爪７３が開いた状態で通過可能な形状に形成されている。
【００１５】
ケース２０が、引き戸Ｄの端面に設けられた錠収容孔３４（図４参照）に挿入された後に、取り付け用孔２６，３３に挿通されるねじ（図示しない）が引き戸Ｄに螺合することにより、ケース２０が引き戸Ｄに固着される。
ケース２０には、収容室２４を直角に交叉しケース２０の両側面に貫通するカム挿入孔３５が設けられる（図１，図３参照）。
【００１６】
カム挿入孔３５には、カム３６の両面に設けられた軸部３７が回動可能に挿入される。
カム３６の外周面には、駆動アーム３８と軸支持アーム３９が相互に反対方向に突出し、駆動アーム３８の先端部に孔４０が設けられ、軸支持アーム３９の先端部に設けられた孔４１にピン４２が固着される。
カム３６の回動中心に設けられる偏平形状の孔４３には、偏平形状の操作軸４４の中央部が挿入される（図１参照）。
【００１７】
駆動アーム３８の先端部の孔４０と、板状のジョイントプレート４５の後端部に設けられた孔４６にカムピン４７が挿入される。
ジョイントプレート４５の先端部には、ジョイントプレート４５の両側面から突出する押動片４８が設けられる（図１参照）。
【００１８】
収容室２４の内部には、収容室２４の両内壁面に沿って前後方向に摺動可能な一対のレトラクタ４９，５０が挿入され、レトラクタ４９，５０にそれぞれ設けられた係合孔５１に押動片４８が係入する。
レトラクタ４９に設けられるカム溝５２は、レトラクタ４９の移動方向に平行な解錠溝部５２ａの後端に下方に屈曲してつながり、レトラクタ４９の移動方向に平行な施錠溝部５２ｂが設けられる。
レトラクタ５０に設けられるカム溝５３は、カム溝５２の解錠溝部５２ａと同様の解錠溝部５３ａの後端に上方に屈曲してつながり、レトラクタ４９の移動方向に平行な施錠溝部５３ｂが設けられる（図１参照）。
【００１９】
レトラクタ４９，５０の内側に、一対のプレート５５，５６を間隔を挟んで一体的に連結した摺動プレート５４が前後方向に摺動可能に挿入され、プレート５５，５６の先端に形成された段部５７が収容室２４の内面に突出するストッパ５８（図２参照）に当たるまで前進可能である。
プレート５５，５６の先端部に設けられた孔５９に、支軸６０の両端部に設けられた小径部６０ａが挿入され、プレート５５の後端から屈曲して突出する連結壁６１の先端が、プレート５６の後端部に設けられた長孔６２に係入する（図１参照）。
【００２０】
プレート５５に縦長孔６３と水平方向に長い案内長孔６４が設けられ、プレート５５に切り起こして形成されるばね支持壁６５に、コイル状のジョイントスプリング６６が装着され、ジョイントスプリング６６の一端６６ａが、プレート５５の下端から屈曲して突出するばね係止片６７に圧接し、他端６６ｂは、案内長孔６４に挿入される押動片４８の先端に圧接する（図１，図２参照）。
プレート５５には、プレート５５の縦長孔６３と案内長孔６４に相対する位置に同形状の縦長孔６３と案内長孔６４が設けられ、案内長孔６４に押動片４８が挿入される。
【００２１】
２つの鎌６８，６８の中間部に孔６９を設け、相互に重ねた鎌６８，６８の孔６９に支軸６０の中間部が挿入される。
鎌６８，６８の後部に設けられた孔７０には、２個のロックピン７１の一端がそれぞれ挿入され、両ロックピン７１の中間に設けられた大径部７２がそれぞれ一対のプレート５５，５６の縦長孔６３に上下動可能に挿入され、両ロックピン７１の他端はカム溝５２，５３に挿入される（図１，図２，図４参照）。
【００２２】
鎌６８，６８の先端には、相互に反対方向に延びる施錠爪７３が設けられ、施錠爪７３の前面に小さな突起７４が形成される。
この小さな突起７４の位置は、２つの鎌６８，６８が閉じたときに一致するようになっている（図２参照）。
ケース２０の先端には、開かれた施錠爪７３を収容する施錠爪収容凹部７５が設けられる（図７参照）。
【００２３】
引き戸Ｄには、錠収容孔３４に交叉する貫通孔７６が設けられ、貫通孔７６の室内側を閉塞する内側エスカッション７７に孔７８が設けられる。
孔７８にサムターン７９の軸部７９ａが回動可能に挿入され、軸部７９ａに周設された環状の溝８０に止め輪８１が嵌着され、サムターン７９の内側端面に設けられた底付きの長孔８２に、操作軸４４の一端が挿入される（図１，図４参照）。
【００２４】
貫通孔７６の室外側を閉塞する外側エスカッション８３に孔８４が設けられ、孔８４には、前面に操作用溝８６が設けられたエマージェンシイプラグ８５が回動可能に装着される。
エマージェンシイプラグ８５の軸部８５ａの外周面に設けられた環状の溝８７に、止め輪８８が嵌着される（図１，図４参照）。
【００２５】
エマージェンシイプラグ８５の軸部８５ａの外周面は、円形の一部を切欠した非円形の形状であり、同じ非円形の孔９０を有するカラープレート８９が、外側エスカッション８３の裏側から軸部８５ａに装着される。
カラープレート８９は、外側エスカッション８３に面する方の表面に、施錠角度と解錠角度とを色分け表示する塗装が施工され、外側エスカッション８３にはこの色分け表示を透視する点検窓９１が設けられる（図１，図４参照）。
【００２６】
外側エスカッション８３の内面に２本の軸９２が立設され、軸９２の端面に設けられたねじ孔（図示しない）には、内側エスカッション７７に設けられた２個の孔９３に挿入されるねじ（図示しない）が螺合する（図１参照）。
【００２７】
引き戸の端面が当接する框側の柱に、前面が開口するボックス９４が埋め込まれ、框側の柱に取り付けられる板９５により固定される。
ボックス９４の底面に設けられたねじ９６に、前面に受け孔９８を有するストライク９７が位置調整可能に取り付けられる（図５参照）。
【００２８】
ケース本体２１の後端部に設けられた孔９９に固着された軸１００にコイル状のカムスプリング１０１が取り付けられ、カムスプリング１０１の一端１０１ａがケース本体２１の後端面に圧接し、他端１０１ｂはカム３６のピン４２に圧接する。カムスプリング１０１の弾性力はジョイントスプリング６６の弾性力よりも強く、他端１０１ｂには、上方に屈曲する屈曲点１０１ｃの左側に、解錠角度にあるカム３６のピン４２が当たる凹形状部分１０１ｄを形成し、屈曲点１０１ｃの右側に、施錠角度にあるカム３６のピン４２が当たる凹形状部分１０１ｅを形成してカム３６を施錠角度及び解錠角度に付勢するクリック機構を構成した（図１，図２参照）。
【００２９】
次に、以上のように構成された戸先錠の作用を、図２，図４〜図７を参照しながら解錠状態，施錠操作，施錠状態，引き戸を閉める前に施錠操作をした誤操作時の動作の順に説明する。
解錠状態の戸先錠は、図２に示すように、カム３６が時計方向に回動して駆動アーム３８がケース２０の収容室２４の後端面２４ａに当接する解錠角度にあり、カム３６の駆動アーム３８に枢着されたジョイントプレート４５は後退し、レトラクタ４９，５０はジョイントプレート４５の押動片４８に係合孔５１を押されて後退位置にある。
【００３０】
摺動プレート５４は、ジョイントプレート４５の押動片４８に案内長孔６４の後端を押されて後退位置にある。
ロックピン７１は解錠溝部５２ａ，５３ａの中にあるので、２つの鎌６８は相互に重なった閉鎖した状態でフロント３１の鎌出没用孔３２内に没入している。
カム３６のピン４２は、カムスプリング１０１の凹形状部分１０１ｄに圧接している（図２，図４参照）。
【００３１】
閉鎖状態の一対の鎌６８の突起７４は、戸先錠の中心位置に重なっているので、この突起７４が框側の柱に当たる位置がストライク９７の取り付ける位置を示し、取り付け位置の心出し作業が容易になる利点がある。
カラープレート８９はカム３６と共に解錠角度にあるので、点検窓９１よりカラープレート８９の解錠の色彩が透視され、室外側の人には解錠状態であることを知ることができる。
【００３２】
引き戸Ｄを閉めた状態で、室内側よりサムターン７９を施錠方向に回動すると、操作軸４４と共にカム３６が反時計方向に回動するので、ジョイントプレート４５が前進し、押動片４８に係合するレトラクタ４９，５０がフロント３１の方向に前進する。
押動片４８は案内長孔６４の中を前進するので、摺動プレート５４は直接に押動片４８に押されないが、緩衝材の役目を果たすジョイントスプリング６６を介して前方に押動される。
【００３３】
カム３６が反時計方向に５８度回動したときに、摺動プレート５４の段部５７がケース２０の内部のストッパ５８に当るので前進が停止する。
一対の鎌６８の施錠爪７３は、ロックピン７１が解錠溝部５２ａ，５３ａにあるので閉鎖状態にあり、摺動プレート５４が前進を停止したときには、受け孔９８を通過してストライク９７の内部に進入した位置にある（図５参照）。
カム３６が更に反時計方向に回動すると、摺動プレート５４は停止したままなので、押動片４８に押されたジョイントスプリング６６が弾性変形する。
【００３４】
カム３６が反時計方向に５８度回動した時点では、カム３６のピン４２がカムスプリング１０１の屈曲点１０１ｃを乗り越えた位置にあり、カム３６は施錠角度に付勢される（図５参照）。
一方、レトラクタ４９，５０は押動片４８に係合しており、前進を妨げるものがなく、カムスプリング１０１がジョイントスプリング６６よりも弾性力が大きいので、カム３６の回動角度が９０度となる施錠角度になるまで前進を続ける。
【００３５】
従って、カム３６の回動角度が５８度を過ぎると、摺動プレート５４と共に前進を停止しているロックピン７１が、解錠溝部５２ａ，５３ａから施錠溝部５２ｂ，５３ｂに移動し、９０度回動した施錠角度になると、一対の鎌６８の施錠爪７３が開いてストライク９７に係合し、引き戸Ｄが施錠される（図６参照）。
カム３６が施錠角度になると、ピン４２がカムスプリング１０１の凹形状部分１０１ｅに当接し、施錠角度に安定する。
カム３６が施錠角度になると、室外側から点検窓９１を通してカラープレート８９の施錠の色彩が透視され、施錠中であることが知ることができる。
【００３６】
次に、引き戸Ｄを閉める前にうっかり施錠操作をした誤操作における動作について説明する。
引き戸Ｄが未だ開かれているときに、サムターン７９を回動操作してカム３６を解錠角度に回動すると、一対の鎌６８がフロント３１から突出した後に施錠爪７３が開くので、引き戸Ｄを閉めたときに施錠爪７３がストライク９７の前面に当たる。
【００３７】
鎌６８及び摺動プレート５４がジョイントスプリング６６を弾性圧縮したまま後退し、施錠爪７３を開いた状態の鎌６８は、フロント３１の鎌出没用孔３２を通過して施錠爪収容凹部７５に収容される。
摺動プレート５４の案内長孔６４の左端に押されてジョイントプレート４５が後退し、カム３６が解錠方向に回動する（図７参照）。
【００３８】
カム３６が解錠方向に回動し、ピン４２がカムスプリング１０１の屈曲点１０１ｃを乗り越えたときに（図７参照）、カムスプリング１０１により解錠方向に付勢されたカム３６が解錠角度に復帰する。
ジョイントスプリング６６は、一対の鎌６８が完全に突出してから開くようにするためのものである。
カム３６が解錠方向に回動すると、図２に示す解錠状態に戻る。
【００３９】
【発明の効果】
本発明は以上のように構成されているので、以下に記載されるような効果を奏する。
(1) 従来は一体型であった鎌を開閉可能な一対の鎌としたので、ケース及びストライクを小径に形成することができた。
従って、引き戸に設ける錠収容孔を小さくなる利点と、取り付けが容易になる利点が生じる。
(2) 従来は一体型であった鎌を開閉可能な一対の鎌とし、鎌が突出した後に引き寄せるように開く構成としたので、鎌とストライクとの間に生じる隙間を小さくすることができた。
【００４０】
(3) 施錠操作した後に引き戸を閉める誤操作をしても、突出した鎌がスプリングの力に逆らってケース内に収納されるので戸先錠の破損が防止される。
従って、戸先錠は自動的に解錠状態に復帰するので、もう一度施錠操作を行えば正規の施錠ができる。
(4) カムと一体となって回動するカラープレートを施錠，解錠領域を色分けし、外側エスカッションに点検窓を設けると、施錠，解錠状態を容易に目視できる利点がある。
【図面の簡単な説明】
【図１】戸先錠の分解斜視図である。
【図２】解錠状態の戸先錠の縦断面図である。
【図３】図２の正面図である。
【図４】図２のＸ−Ｘ断面図である。
【図５】施錠操作の中途の状態を示す戸先錠の縦断面図である。
【図６】施錠状態の戸先錠の縦断面図である。
【図７】施錠操作した後の引き戸を閉めた瞬間の状態を示す戸先錠の縦断面図である。
【図８】従来の戸先錠を引き戸の端面から見た正面図である。
【図９】従来の戸先錠の要点を説明する説明図である。
【符号の説明】
Ｄ                  引き戸
２０                ケース
２４                収容室
３１                フロント
３２                鎌出没用孔
３５                カム挿入孔
３６                カム
３８                駆動アーム
４４                操作軸
４５                ジョイントプレート
４８                押動片
４９，５０          レトラクタ
５２，５３          カム溝
５２ａ，５３ａ      解錠溝部
５２ｂ，５３ｂ      施錠溝部
５４                摺動プレート
５５，５６          プレート
５８                ストッパ
６０                支軸
６３                縦長孔
６４                案内長孔
６６                ジョイントスプリング
６８                鎌
７１                ロックピン
７３                施錠爪
７５                施錠爪収容凹部
７７                内側エスカッション
７９                サムターン
８３                外側エスカッション
８５                エマージェンシイプラグ
８９                カラープレート
９１                点検窓
９７                ストライク
１０１              カムスプリング
【図１】
0003710894.tif 000002
【図２】
0003710894.tif 000003
【図３】
0003710894.tif 000004
【図４】
0003710894.tif 000005
【図５】
0003710894.tif 000006
【図６】
0003710894.tif 000007
【図７】
0003710894.tif 000008
【図８】
0003710894.tif 000009
【図９】
0003710894.tif 000010